(57)【要約】【課題】カートンを覆い易く、覆った後に通常の持ち運びに際してはカートンから外れ難く、それでいてカートン使用終了後には簡単にカートンを外し得るカートンカバーを提供すること。【解決手段】カートンの外面を覆うカートンカバーであって、天面部１１、対向する一対の長手側面部１２，１３、及び対向する一対の短手側面部１４，１５で構成され、対向する一対の長手側面部１２，１３は、中央部が他部より間隔が狭く、くびれを有する形状をなすカートンカバー１０の提供による。【選択図】図６
2008207834.tif 000002
【特許請求の範囲】
【請求項１】
カートンの外面を覆うカートンカバーであって、
天面部、対向する一対の長手側面部、及び対向する一対の短手側面部で構成され、少なくとも（１）、（２）のうち何れかの条件を満たすことによって、くびれを有する形状をなすカートンカバー。
（１）前記対向する一対の長手側面部の間隔は、中央部が他部より狭い。
（２）前記対向する一対の短手側面部の間隔は、中央部が他部より狭い。
【請求項２】
中央部が他部より間隔が狭くなっている前記対向する一対の長手側面部及び対向する一対の短手側面部のうち少なくとも何れかは、
前記間隔が、一の端部から前記中央部へ向けて連続して狭くなり、中央部から他の端部に向けて連続して広がり、前記くびれが滑らかな円弧線で形成されている請求項１に記載のカートンカバー。
【請求項３】
中央部が他部より間隔が狭くなっている前記対向する一対の長手側面部及び対向する一対の短手側面部のうち少なくとも何れかは、
前記天面部の側において中央部が他部より間隔が狭く、前記天面部とは反対側の下端において間隔が一定である請求項１又は２に記載のカートンカバー。
【請求項４】
前記天面部に開口が形成され、その開口を被覆するように配設されたウインドウフィルムを備え、そのウインドウフィルムにスリットが形成されている請求項１〜３の何れか一項に記載のカートンカバー。
【請求項５】
前記カートンカバーの前記一対の長手側面部及び一対の短手側面部のうち、少なくとも何れかに、エンボス加工が施されている請求項１〜４の何れか一項に記載のカートンカバー。
【請求項６】
外面を覆う対象である前記カートンが、家庭用薄葉紙を収納する箱である請求項１〜５の何れか一項に記載のカートンカバー。
【請求項７】
カートンの外面を覆った請求項１〜６の何れかに記載のカートンカバーであって、
前記カートン及びカートンカバーのうち少なくとも何れかは、紙で形成され、
前記カートンカバーにおける前記中央部が他部より間隔が狭くなっている前記対向する一対の長手側面部及び対向する一対の短手側面部のうち少なくとも何れかは、当該中央部における間隔が、
前記カートンカバーで外面を覆われたときにそのカートンカバーの前記中央部に対応する位置における前記カートンの外形寸法に対して、
同一か又は最大５ｍｍ小さい、カートンを覆ったカートンカバー。
【発明の詳細な説明】
【技術分野】
【０００１】
本発明は、直方体の収納箱であるカートンの外面を覆うカートンカバーに関する。
【背景技術】
【０００２】
ティシュは、脱脂性や吸水性に優れ、清潔感があり、安価で、利便性があることから、鼻をかむ、口元を拭く、化粧を落とす、食品を包む又は置く、埃を掃う、汚れを拭き取る等のあらゆる用途に使用されている。ティシュは、現代の生活に密着した、なくてはならないものとなっており、多くの家庭では、各部屋毎に、更には自動車内にも、常備されている。
【０００３】
このようなティシュは、通常、厚紙で作られた直方体の箱（カートンともいう）に収納されて流通しており、そのカートンの外面には、その商品の出所や商品の機能を示す文字等が表現されている。この文字等は、販売者等と消費者とを結びつける上で重要な役割を果たすが、一方、消費者が購入した後には、必ずしも粋とはいえないそのデザインによって、配置場所の雰囲気にそぐわない場合がある。
【０００４】
そこで、従来より、カートンカバーが販売され、消費者のニーズを満足させている。カートンカバーとしては、木やプラスチックや金属を使用したシンプルでモダンなものや、布を使用して花柄等をあしらい色彩を駆使した派手で鮮やかなもの、等が知られる。これらは、ティシュペーパーカートンをインテリア足り得るものとするために、居室の雰囲気に合致させ溶け込ませるように、その視覚性を改善することに重きをおいた製品である。又、紐や接着剤あるいはフック＆ストラップ等によって、壁掛けないしは釣り掛けを可能にしたカートンカバーがある。このようなものは、ティシュを、キッチンや洗面室あるいは自動車内に設置する際に、重用されている。更には、抗菌能力や、芳香あるいは脱臭、防虫、防塵の能力を付加し、ティシュを置くことによって部屋の衛生を向上させ得る製品も存在する。
【０００５】
カートンカバーにかかる技術の先行文献として、例えば特許文献１〜７が挙げられる。特許文献１及び特許文献２に開示されたティシュペーパーボックス用カバーは、左右の短手側壁面部に係止爪を設けることによって、ボックスとカバーの一体性を高め、移動時にカバーからティシュペーパーボックスが外れないようにしたものである。特許文献３に開示されたティシュ製品ケースは、ティシュ製品を収納する収納部と、ティシュ製品を詰め替えるための収納部口と、ティシュを引き出すための取り出し孔と、を有することによって、無箱状のティシュ製品を繰り返し使用可能としたものである。特許文献４に開示されたティシュ箱用カバーは、カバーとして光触媒材料を用いることによって、消臭効果を発現させたものである。特許文献５に開示された詰替用ティシュボックスは、ティシュペーパー束の収容部と、ティシュペーパー束を収容部へ収容するための補充口と、ティシュペーパーの取出口と、を有し、更に補充用ティシュペーパーの包装袋の切断片取出口が形成されていることによって、ティシュペーパー束の乱れを防止しつつ簡単にティシュペーパー束を補充出来るものである。特許文献６に開示されたティシュボックス用カバーは、布素材のカバー本体と、凹凸状のティシュペーパー取り出すための引出口と、を備えることによって、枚数が少なくなってもティシュペーパーを引出口に保持され易くしたものである。特許文献７に開示されたティシュペーパーボックス用カバーは、前後の長手側壁面部を結合するための結合腕部及び結合腕受け部と、左右の短手側壁面部を折り込むと、を有することによって、容易に組み立て可能とした、少ない紙資源で得られるカバーである。
【０００６】
【特許文献１】特開平１０−２３４６１６号公報
【特許文献２】実用新案登録第３０４４４５９号公報
【特許文献３】特開２０００−３３９７８号公報
【特許文献４】実用新案登録第３０７４８３９号公報
【特許文献５】特開２００１−３４０２５７号公報
【特許文献６】特開２００４−１１５１１５号公報
【特許文献７】実用新案登録第３１０３５４６号公報
【発明の開示】
【発明が解決しようとする課題】
【０００７】
本発明は、このような事情の中でなされたものであり、本発明の課題は、居室の雰囲気に合いインテリア足り得るものであって、カートンにカートンカバーを覆い易く、覆った後に通常の持ち運びに際してはカートンがカートンカバーから外れ難く、それでいてカートン使用終了後には簡単にカートンを外し得るカートンカバーを提供することにある。
【０００８】
カートンをカートンカバーから外れ難くする手段としては、カートンカバーに備えた紐（ゴム紐を含む）でカートンを囲う手段が知られる。しかしながら、このような手段は、煩わしく、とても、カートンにカートンカバーを覆い易く、カートン使用終了後に簡単にカートンを外し得るものとはいえない。加えて、紐の存在は、カートンカバーの意匠的効果を減衰させるので、好ましくない。
【０００９】
又、特許文献１に開示されている係合爪は、本発明の課題と類似する課題に取り組んだものと考えられる。しかしながら、展開図（特許文献１の図２を参照）から明らかなように、特許文献１にいう壁面部の下縁の全体が係合爪になっており、特許文献１に開示されている係合爪の態様では、ティシュペーパーボックスからティシュペーパーボックス用カバーが外れるのを防ごうとする力が強すぎて、外すのに大きな労力を要することになる。
【００１０】
これらに対し、本発明は、全く新たな手段によって、上記課題を解決しようとするものである。研究が重ねられた結果、以下に示す手段によって、上記課題が達成できることが見出された。
【課題を解決するための手段】
【００１１】
即ち、先ず、本発明によれば、カートンの外面を覆うカートンカバーであって、天面部、対向する一対の長手側面部、及び対向する一対の短手側面部で構成され、少なくとも（１）、（２）のうち何れかの条件を満たすことによって、くびれを有する形状をなすカートンカバーが提供される。
（１）対向する一対の長手側面部の間隔は、中央部が他部より狭い。
（２）対向する一対の短手側面部の間隔は、中央部が他部より狭い。
【００１２】
一般に、くびれとは、中ほどが他のところに比べて細くなっていること、又、その部分をいうから、上記（１）、（２）の条件は、本発明に係るカートンカバーに、くびれを有する形状をもたらす条件であって、くびれの態様を特定するものである。中央部（中ほど）とは、一対の長手側面部の（又は一対の短手側面部の）、一の端部と他の端部との間の中央部分を指し、他部（他のところ）とは、一対の長手側面部の（又は一対の短手側面部の）、一の端部と他の端部との間の、中央以外の部分を指す。長手側面部（又は短手側面部）の一の（他の）端部とは、長手側面部（又は短手側面部）が短手側面部（又は長手側面部）と相互に接する、長手側面部（又は短手側面部）の端の部分である。
【００１３】
対向する一対の長手側面部、あるいは対向する一対の短手側面部、と表現するが、この対向するとは、上記の間隔を開けて互いに向き合うことを意味する。対向する一対の長手側面部、及び対向する一対の短手側面部、の少なくとも何れかにおいて、中央部の間隔が他部の間隔より狭いことによって、くびれを有する形状が実現されるのである。
【００１４】
（１）の条件を満たす場合には、本発明に係るカートンカバーは、対向する一対の長手側面部の間隔が、中央部で狭くなり、天面部を上から見たときに、本発明に係るカートンカバーは、例えばヴァイオリンのようなくびれを有するものになる。（２）の条件を満たす場合には、天面部を上から見たときに、本発明に係るカートンカバーは、対向する一対の短手側面部の間隔が、中央部で狭くなる。少なくとも（１）、（２）のうち何れかの条件を満たすことによって、であるから、本発明に係るカートンカバーにおいては、対向する一対の長手側面部及び対向する一対の短手側面部の両方において、中央部が他部より間隔が狭いものであってもよい。
【００１５】
既述のように、くびれとは、中ほど（中央部）が他のところ（他部）に比べて細くなっていることをいうから、中央部が他部より如何に間隔が狭くなるかは（換言すれば、くびれの具体的形態は）、上記（１）、（２）に示される条件の他に限定されるものではない。
【００１６】
但し、本発明に係るカートンカバーにおいては、中央部が他部より間隔が狭くなっている対向する一対の長手側面部及び対向する一対の短手側面部のうち少なくとも何れかは、間隔が、一の端部から中央部へ向けて連続して狭くなり、中央部から他の端部に向けて連続して広がり、くびれが滑らかな円弧線で形成されていることが好ましい。
【００１７】
中央部が他部より間隔が狭くなっている対向する一対の長手側面部及び対向する一対の短手側面部のうち少なくとも何れか、とは、対向する一対の長手側面部及び対向する一対の短手側面部のうち、中央部が他部より間隔が狭くなっているものであって、上記（１）、（２）の条件のうち満たされる方に該当する対向する一対の長手側面部及び対向する一対の短手側面部の何れか又は両方である。くびれが滑らかな円弧線で形成されている、ことは、間隔が、一の端部から中央部へ向けて連続して狭くなり中央部から他の端部に向けて連続して広がる、ことによってもたらされる態様を表したものである。
【００１８】
又、既述のように、中央部が他部より間隔が狭いことによって、くびれを有する形状が実現されるが、この間隔を定める対向する一対の長手側面部は、面で構成される部分である。従って、対向する一対の長手側面部の間隔は、対向する一対の長手側面部の全ての面の間に生じることになる。既述のように、中央部とは、一対の長手側面部の、一の端部と他の端部との間の中央部分を指し、他部とは、一対の長手側面部の、一の端部と他の端部との間の中央以外の部分を指すのであるが、一の端部と他の端部とを結ぶ方向（通常の使用形態において横（左右）方向）に対して垂直の方向、即ち、長手側面部における、天面部の側と、天面部とは反対の（長手側面部の）下端と、を結ぶ方向（通常の使用形態において縦（上下）方向）においては、対向する一対の長手側面部の間隔は同じであってもよく、異なっていてもよい。このことは、対向する一対の短手側面部においても同様である。
【００１９】
但し、本発明に係るカートンカバーにおいては、中央部が他部より間隔が狭くなっている対向する一対の長手側面部及び対向する一対の短手側面部のうち少なくとも何れかは、天面部の側において中央部が他部より間隔が狭く、天面部とは反対側の下端において間隔が一定であることが好ましい。
【００２０】
天面部の側とは、長手側面部（短手側面部）の最も天面部寄りの部分（天面部に隣接している長手側面部（短手側面部）の上端）である。天面部の側において中央部が他部より間隔が狭く、天面部とは反対の下端において間隔が一定であるという上記態様は、上記下端のみに着目すれば（間隔が一定なので）くびれていない形状であるが、長手側面部全体として（短手側面部全体として）、あるいはカートンカバー全体としては、くびれているといえる形状である。長手側面部及び短手側面部は、面で構成される部分であり、面は連続しているものであるから、上記態様においては、天面部の側と下端とを結ぶ方向（上下方向）でみてみると、天面部と下端の中間部分は、くびれていない下端から、最もくびれている天面部の側（上端）まで、徐々にくびれは大きくなる。
【００２１】
本発明に係るカートンカバーにおいては、天面部に開口が形成され、その開口を被覆するように配設されたウインドウフィルムを備え、そのウインドウフィルムにスリットが形成されていることが好ましい。
【００２２】
本発明に係るカートンカバーにおいては、ウインドウフィルムを備える場合には、そのウインドウフィルムが、抗菌、芳香、脱臭、及び防虫のうち、少なくとも何れかの効果を発現する材料で形成されていることが好ましい。
【００２３】
本発明に係るカートンカバーにおいては、カートンカバーの一対の長手側面部及び一対の短手側面部のうち、少なくとも何れかに、エンボス加工が施されていることが好ましい。
【００２４】
少なくとも何れか、であるから、一対の長手側面部及び一対の短手側面部の両方にエンボス加工が施されていてもよく、天面部、一対の長手側面部のうちの一方、一対の短手側面部のうちの一方にエンボス加工が施されていてもよい。より好ましい態様は、一対の長手側面部及び一対の短手側面部の両方にエンボス加工が施されているものである。
【００２５】
本明細書におけるエンボス加工とは、（カートンカバーの）表面に凹凸をつける加工のことをいう。エンボス加工は、カートンカバーが紙で形成される場合には、凹凸面を構成したキャビティを有する型を使用し、型押しすることによって行うことが出来る。これは、両面又は片面に押し罫を形成することに等しい。カートンカバーがプラスチック（ポリエチレンテレフタレート及び生分解性プラスチックを含む）で形成される場合には、成形の際に凹凸が形成されるような型を使用したり、紙と同様に成形後に型押ししてもよい。凹凸によって、文字、点字、絵柄、図形等を表すことが好ましい。
【００２６】
本発明に係るカートンカバーは、外面を覆う対象であるカートンが、家庭用薄葉紙を収納する箱である場合に好適に使用することが出来る。
【００２７】
本明細書において、家庭用薄葉紙とは、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙を総称する概念である。
【００２８】
本発明に係るカートンカバーにおいては、カートンカバーが、紙、ポリエチレンテレフタレート、ポリエチレン、ポリプロピレン、及び生分解性プラスチックのうち、何れかの材料で形成されていることが好ましい。又、これら材料に、布、撥水性布、和紙等を貼り合せたものを用いてもよい。更に、表面に、樹脂（フッ素樹脂）、高分子化合物、例えばポリエチレンテレフタレート、ポリテトラフルオロエチレン、ポリエチレン等をコーティングすることによって、耐水、耐油、撥水の機能を付加してもよい。
【００２９】
紙としては、白板紙、色板紙、黄色紙、古紙利用のチップボール等の紙器用板紙を用いることが好ましい。生分解性プラスチックは、バクテリアをはじめとする微生物、あるいは酵素等の作用によって分解されるプラスチックである。例えば、ポリ乳酸、ポリブチレンサクシネート、ポリブチレンアジペート、ポリエチレンサクシネート、ポリカプロラクトン、ポリビニルアルコール等を挙げることが出来る。
【００３０】
本発明に係るカートンカバーは、通常の使用態様において、カートンの外面を上から覆うカバーである。本明細書において、外面を覆う対象であるカートンとは、木材パルプ、古紙等を原料とする厚紙等の紙材料を主原料としてなる、収納物を収容する箱（収納箱）をいう。但し、収容物自体は、本発明を特定する事項ではない。カートンの上面に収納物の取出口に該当する開口が形成されている場合には、本発明に係るカートンカバーでは、カートンの開口に合わせて、上記したように、天面部に開口が形成される場合がある。このような態様においては、カートンの開口及びカートンカバーの開口は連通するので、カートンの外面をカートンカバーで覆ったときに、容易にカートンの中から収容物を取り出すことが出来る。
【００３１】
次に、本発明によれば、カートンの外面を覆った上記した何れかのカートンカバーであって、カートン及びカートンカバーのうち少なくとも何れかは、紙で形成され、カートンカバーにおける中央部が他部より間隔が狭くなっている対向する一対の長手側面部及び対向する一対の短手側面部のうち少なくとも何れかは、当該中央部における間隔が、カートンカバーで外面を覆われたときにそのカートンカバーの中央部に対応する位置におけるカートンの外形寸法に対して、同一か又は最大５ｍｍ小さい、カートンを覆ったカートンカバーが提供される。
【００３２】
本発明に係るカートンカバーにおいて、上記中央部における間隔は、カートンカバーで外面を覆われたときにそのカートンカバーの中央部に対応する位置におけるカートンの外形寸法に対して、１〜２ｍｍ小さいことが好ましい。
【発明の効果】
【００３３】
本発明に係るカートンカバーは、天面部、一対の長手側面部、及び一対の短手側面部で構成され、（１）対向する一対の長手側面部は、中央部が他部より間隔が狭い、（２）対向する一対の短手側面部は、中央部が他部より間隔が狭い、という２つの条件のうち少なくとも何れかを満たし、くびれを有するので、カートンカバーでカートンの外面を上から覆ったときに、間隔が狭い中央部において、対応するカートンの中央部に対しカートンカバーが圧接し得て、その一方、中央部より相対的に間隔が広いカートンカバーの両方の端部では、対応するカートンの両方の端部に対して隙間が生じ得る。それが故に、カートンカバーでカートンの外面を上から覆うときに、容易に覆え、その一方、覆った後には、カートンカバーはカートンから外れ難く、カートンカバーでカートンを保持することが可能である。これは、両方の端部では、カートンに対して隙間が生じている（カートンと接していない）から、覆うとき（カートンをカートンカバーに入れるとき）には、中央部を人力で少し開くだけで、スムーズに覆う（カートンをカートンカバーに入れる）ことが出来るのに対し、カートンカバーでカートンを覆った後は、人力で開かない限り、中央部では、カートンに対し圧接する力がはたらいているから、カートンカバーがカートンから外れ難くなっていることによる。
【００３４】
本発明に係るカートンカバーは、その好ましい態様において、上記間隔が、一の端部から中央部へ向けて連続して狭くなり、中央部から他の端部に向けて連続して広がって、くびれが滑らかな円弧線で形成されているので、上記した優れた効果を発揮し易くなる。これは、カートンカバーの上記くびれが滑らかな円弧線で形成されていると、カートンを圧接し得る中央部からカートンと接しない端部まで、カートンカバーがカートンを圧接する力が、中央部から端部にかけて連続的に変化する（弱まる）ためである。即ち、本態様であれば、中央部を人力で少し開くだけで、覆われるカートンに対する覆うカートンカバーの隙間が全体的に広がり易く、容易にカートンをカートンカバーへ入れ易くなるからである。一方、覆っている状態では、中央部から端部に向けて徐々に弱まりつつもカートンカバーの広範囲でカートンを圧接し得るため、カートンからカートンカバーが外れ難くなるのである。又、滑らかな円弧線で形成されたくびれは美しく、意匠性に優れる。
【００３５】
本発明に係るカートンカバーは、その好ましい態様において、中央部が他部より間隔が狭くなっている対向する一対の長手側面部及び対向する一対の短手側面部のうち少なくとも何れかは、天面部の側において中央部が他部より間隔が狭く、天面部とは反対の下端において間隔が一定である。これは、天面部はくびれているが、既述のように、下端のみに着目すればくびれていない形状である。従って、下端では、カートンカバーの中央部においても両方の端部においても、カートンカバーとカートンの間には隙間が生じ得る。一方、天面部の側においては、カートンカバーでカートンの外面を上から覆ったときに、間隔が狭い中央部において、対応するカートンの中央部に対しカートンカバーが圧接し得て、間隔が広いカートンカバーの両方の端部では、カートンの両方の端部に対して隙間が生じ得る。それが故に、本態様においては、カートンカバーでカートンの外面を上から覆うときに、カートンカバーの中央部を人力で開かなくても、スムーズにカートンカバーにカートンを入れることが出来、カートンカバーでカートンを容易に覆うことが出来、その一方、覆った後には、天面部においてカートンカバーで圧接されるから、カートンはカートンカバーから外れ難い。
【００３６】
本発明に係るカートンカバーは、その好ましい態様において、天面部に開口が形成され、その開口を被覆するように配設されたウインドウフィルムを備え、そのウインドウフィルムにスリットが形成されているので、カートンの収容物をスリットで保持することが出来るとともに、粉塵のカートン内への進入が防止される。外面を覆う対象であるカートンがティシュペーパーを収納する箱（ティシュペーパーカートン）である場合には、そのカートン自体の上面に設けられた開口にもスリットを形成したウインドウフィルムが備わる場合があり、この場合には、２重のフィルム（スリット）によって、確実に、ティシュペーパーが保持され、粉塵の進入が防止される。本発明に係るカートンカバーの好ましい態様によれば、枚数が少なくなったときにティシュペーパーがカートン内へ落下してしまい、ティシュペーパーを取り出し難くなるという問題は生じない。又、ティシュペーパーのカートンがフィルムレスである場合には、本発明に係るカートンカバーにおけるスリットを形成したウインドウフィルムのみで、ティシュペーパーを保持することが出来る。
【００３７】
本発明に係るカートンカバーは、その好ましい態様において、カートンカバーの一対の長手側面部及び一対の短手側面部のうち、少なくとも何れかに、エンボス加工が施されているので、このエンボスを視覚的な及び触覚的な目印として、カートンカバーを触る人の行為を誘導することが出来る。例えば、把持して欲しい場所（把持し易い場所）にエンボス加工を施しておけば、人間は本能的に、他と異なる表面状態の当該エンボス加工が施された部分を触ろうとするから、把持場所を固定することが可能となる。又、エンボスを点字とすれば、盲目者の情報伝達に役立つ。更には、エンボス加工された部分は、把持する際の滑り止め効果も発現する。加えて、紙製のカートンカバーの場合には、エンボス加工を施すことによって、紙が部分的に圧縮され、層間剥離の発生（切れや破れの発生）を抑制するとともに、構造体としてのカートンカバーの強度向上が図れ、潰れや坐屈の発生を抑制する。
【００３８】
本発明に係るカートンカバーは、その好ましい態様において、カートンカバーが、紙、ポリエチレンテレフタレート、ポリエチレン、ポリプロピレン、及び生分解性プラスチックのうち、何れかの材料で形成されているので、再利用が容易であり、廃棄物が低減され、環境負荷を軽減することが可能である。
【００３９】
本発明に係るカートンを覆ったカートンカバーは、本発明に係るカートンカバーの上記カートンを保持する効果を得るために、カートンに対するカートンカバーの大きさを特定したものである。本発明に係るカートンを覆ったカートンカバーは、カートン及びカートンカバーのうち少なくとも何れかは、（弾性を有する）紙で形成され、中央部が他部より間隔が狭くなっている、対向する一対の長手側面部及び対向する一対の短手側面部のうち少なくとも何れかは、当該中央部における間隔が、外面を覆われたときに、カートンカバーの他部より間隔が狭くなっている中央部に対応する位置における、カートンの外形寸法に対して、同一か又は最大２ｍｍ小さいので、カートンカバーでカートンの外面を上から覆ったときに、中央部においてカートンカバーはカートンに必ず圧接し、カートンカバーがカートンから外れ難くなる。カートンが弾性を有する紙で形成されている場合には、カートンカバーをカートンから外した後は、カートンカバーは新たなカートンを次の対象とするので、寸法関係は変わらず、カートンカバーは繰り返し使用可能である。カートンカバーが弾性を有する紙で形成されている場合には、カートンカバーをカートンから外せば、カートンカバーの形状は元へ戻り、カートンカバーを繰り返し使用することが出来る。
【発明を実施するための最良の形態】
【００４０】
以下、本発明について、適宜、図面を参酌しながら、実施の形態を説明するが、本発明はこれらに限定されて解釈されるべきものではない。本発明の要旨を損なわない範囲で、当業者の知識に基づいて、種々の変更、修正、改良、置換を加え得るものである。例えば、図面は、好適な本発明の実施の形態を表すものであるが、本発明は図面に表される態様や図面に示される情報により制限されない。本発明を実施し又は検証する上では、本明細書中に記述されたものと同様の手段若しくは均等な手段が適用され得るが、好適な手段は、以下に記述される手段である。
【００４１】
図１〜図４、及び図６〜図１１は、本発明に係るカートンカバーの一の実施形態を示す図である。図１は、例えば白板紙からなる組立て式のカートンカバーを組み立てる前の展開図であり、カートンブランクを表した図である。図２は、カートンがティシュペーパーカートン４１である場合の、本発明に係るカートンカバーの使用状態を示す図であり、後述する図９に相当する断面図である。図３は、上方からみたカートンカバーの斜視図であり、図４は、下方からみたカートンカバーの斜視図である。図６は、カートンカバーの平面図（上面図）であり、図７は、カートンカバーの底面図（下面図、実際には底面そのものは存在しない）である。図８は、図６におけるＡＡ断面を示す断面（矢視）図であり、図９は、図６におけるＢＢ断面を示す断面（矢視）図である。図１０は、カートンカバーの正面図（長手側面を表した図、裏面も同じ）であり、図１１は、カートンカバーの左側面図（短手側面を表した図、右も同じ）である。
【００４２】
図５は、本発明に係るカートンカバーの他の実施形態を示す図である。図５では、図３に示されるカートンカバーにウインドウフィルムを装着した態様が、上方からみた斜視図で表されている。
【００４３】
図１〜図４、及び図６〜図１１に示されるカートンカバー１０は、上面にティシュペーパーの取出口（開口）が形成されたティシュペーパーカートン４１の外面を上から覆うものである（図２を参照）。このカートンカバー１０は、ティシュペーパーカートン４１の取出口に通じるように開口２１が形成された天面部１１、対向する一対の長手側面部１２，１３、及び対向する一対の短手側面部１４，１５で構成され、概ね直方体状を呈しており、（一例として）白板紙で形成されたものである。
【００４４】
カートンカバー１０は、天面部１１を上から見たとき（図６を参照）に、中央部（Ｘ軸方向における長手側面部１２，１３の中央部）が、他部（Ｘ軸方向における長手側面部１２，１３の両方の端部）より、細くなっており、例えばヴァイオリンのようなくびれを有する形状をなすものである（併せて図８を参照）。但し、図３、図６、及び図８を参照して理解されるように、くびれは、対向する一対の長手側面部１２，１３の天面部１１の側（Ｚ軸方向における長手側面部１２，１３の上端）において形成され、対向する一対の長手側面部１２，１３の下端６２，６３（Ｚ軸方向における長手側面部１２，１３の下端）の側では、くびれは形成されていない。下端６２，６３の側は、カートンカバー１０で、ティシュペーパーカートン４１の外面を上から覆う際の、入口にあたる部分であるから、ここがくびれていないことによって、カートンカバー１０を人力で開かなくても、スムーズにカートンカバー１０にティシュペーパーカートン４１を入れることが出来る。一方、天面部１１の側ではくびれているから、そこにおいてカートンカバー１０によってティシュペーパーカートン４１は圧接され、保持される。
【００４５】
長手側面部１２，１３は、それぞれが連続した１つの面であるから、天面部１１の側と下端６２，６３とを結ぶ方向（概ねＺ軸方向）で考えると、天面部１１の側と下端６２，６３の中間部分は、くびれていない下端６２，６３から、最もくびれている天面部１１の側まで、徐々にくびれは大きくなっている（図６及び図８を参照）。従って、カートンカバー１０でティシュペーパーカートン４１を覆う際に、カートンカバー１０によってティシュペーパーカートン４１が徐々に圧接され、その反対に、ティシュペーパーカートン４１からカートンカバー１０を外す際には、徐々に圧接から開放される。そのため、カートンカバー１０でティシュペーパーカートン４１をスムーズに覆うことが出来る。又、例えばカートンカバー１０を少し変形させる等によって人力で圧接の力を取り除いてやりさえすれば、容易に、ティシュペーパーカートン４１からカートンカバー１０を外すことが可能である。
【００４６】
カートンカバー１０のくびれは、対向する一対の長手側面部１２，１３の中央部における間隔（長手側面部１２と長手側面部１３との間のＹ軸方向の距離）を、天面部１１の側において、端部における間隔より、狭くすることによって実現されている。一方、カートンカバー１０では、対向する一対の短手側面部１４，１５は、中央部（Ｙ軸方向の中央部）も他部（Ｙ軸方向の両方の端部）も、間隔（短手側面部１４と短手側面部１５との間のＸ軸方向の距離）は一定（同じ）である。
【００４７】
カートンカバー１０では、くびれは滑らかな円弧線で形成されている（図３及び図６を参照）。これは、天面部１１の側において、対向する一対の長手側面部１２，１３の間隔を、（長手側面部１２，１３の）一の端部から中央部へ向けて連続して狭くし、中央部から他の端部に向けて連続して広げることによって、実現されている。
【００４８】
カートンカバー１０の大きさは、覆う対象であるティシュペーパーカートン４１の大きさによって定まる。（一例として）カートンカバー１０では、対向する一対の長手側面部１２，１３の中央部における間隔（内寸、内側の寸法）は、対応する位置におけるティシュペーパーカートン４１の外形寸法（外側の寸法）と、同一である。
【００４９】
カートンカバー１０では、長手側面部１２は、その下側で（図８及び図９を参照）内側に折り込まれた折込部２２と、外側に現れている外面部５２と、を備えている（図６〜図９を参照）。同様に、長手側面部１３は、その下側で内側に折り込まれた折込部２３と、外側に現れている外面部５３と、を備え、短手側面部１４は、その下側で（図８及び図９を参照）内側に折り込まれた折込部２４と、外側に現れている外面部５４と、を備え、短手側面部１５は、その下側で内側に折り込まれた折込部２５と、外側に現れている外面部５５と、を備え、それぞれ複層構造をなしている（図６〜図９を参照）。
【００５０】
図１と図７及び図８を対比させることで理解されるように、長手側面部１２の折込部２２は、長手側面部１２を折り込んで形成され、且つ、折込・伸開可能に設けられる。そして、折込部２２の先端（図１を参照）には、更に折り曲げられて天面部１１の内面の押圧をし得る押さえ代３２が備わる（図７を参照）。同様に、長手側面部１３の折込部２３は、長手側面部１３を折り込んで形成され、且つ、折込・伸開可能に設けられ、長手側面部１３の折込部２３の先端（図１を参照）には、更に折り曲げられて天面部１１の内面の押圧をし得る押さえ代３３が備わる（図４及び図７を参照）。
【００５１】
又、図１と図７及び図９を対比させることで理解されるように、短手側面部１４の折込部２４は、短手側面部１４を折り込んで形成され、且つ、折込・伸開可能に設けられ、短手側面部１４の折込部２４の先端（図１を参照）には、更に折り曲げられて天面部１１の内面の押圧をし得る押さえ代３４が備わる（図７を参照）。短手側面部１５の折込部２５は、長手側面部１５を折り込んで形成され、且つ、折込・伸開可能に設けられ、短手側面部１５の折込部２５の先端（図１を参照）には、更に折り曲げられて天面部１１の内面の押圧をし得る押さえ代３５が備わる（図４及び図７を参照）。
【００５２】
カートンカバー１０は、短手側面部１４，１５のそれぞれの内面に、各々１つの内反し７を備えている（図４及び図９を参照）。この内反し７は、カートンカバー１０自体に切込を入れ、その切込を開いて形成したものである。具体的には、図１に示される展開したカートンブラックの状態において、短手側面部１５の側において、折込部２５に、押さえ代３５の側を向いた円弧状の切込１７を形成しておく。そうすると、折込部２５を折り込んだ際に、切込１７が少し開いて、内反し７が形成される。短手側面部１４の側でも同様であり、カートンブラックの状態において、折込部２４に、押さえ代３４の側を向いた円弧状の切込１７を形成しておく。そうすると、折込部２４を折り込んだ際に、切込１７が少し開いて、内反し７が形成される。
【００５３】
切込１７によって形成された内反し７は、天面部１１の側に開いており、天面部１１の側とは反対の、短手側面部１４，１５の下端の側において短手側面部１４，１５自体に着いている。そのため、カートンカバー１０でティシュペーパーカートン４１の外面を上から覆うときに、容易に覆え、一方、覆った後に、カートンカバー１０はティシュペーパーカートン４１から外れ難い。カートンカバー１０でティシュペーパーカートン４１を保持することが可能である。これは、内反し７が天面部１１の側に開いていることから、覆うとき（ティシュペーパーカートン４１をカートンカバー１０に入れるとき）には、内反し７の開きによる押圧がティシュペーパーカートン４１にはたらき難く、スムーズに覆う（ティシュペーパーカートン４１をカートンカバー１０に入れる）ことが出来るのに対し、カートンカバー１０をティシュペーパーカートン４１から外そうとすると、内反し７の開きによる押圧がティシュペーパーカートン４１にはたらくとともに、開いた内反し７の先端がティシュペーパーカートン４１の壁面に係合して、ティシュペーパーカートン４１からカートンカバー１０が外れるのを防ごうとする力がはたらくからである。カートンカバー１０は、くびれを有する形状をなすことに加えて、内反し７が備わることによって、ティシュペーパーカートン４１から外れ難くなる。
【００５４】
カートンカバー１０の長手側面部１２，１３及び短手側面部１４，１５は、それぞれエンボス加工が施されたエンボス加工部を有する。長手側面部１２，１３のエンボス加工部４２，４３は凹みによって表されており、閉じた輪郭線の中に形成された、長手側面部における横方向（Ｘ軸方向）に向いた多数の平行線で構成されている（図１、図３、図１０を参照）。短手側面部１４，１５のエンボス加工部４４，４５も凹みによって表されており、短手側面部における横方向（Ｙ軸方向）に向いた多数の平行線で構成され、エンボス加工部４４，４５の一部は、天面部にまで延長されている（図１、図３、図６、図１１を参照）。
【００５５】
カートンカバー１０は、（一例として）以下の方法によって製造することが出来る。先ず、白板紙を用意し、これを所定形状に切断し、切込１７を形成して、カートンブランクを得る（図１を参照）。併せて、長手側面部１２，１３に、切込５０ａ，５０ｂ，５０ｃ，５０ｄを形成した係合部５１ａ，５１ｂ，５１ｃ，５１ｄを設けておくとともに、押し型によって、折り曲げをするための折曲線（図１において破線で示された部分）を形成する。そして、この際、天面部１１と長手側面部１２の境界の折曲線、及び天面部１１と長手側面部１３の境界の折曲線は、滑らかな円弧線で形成しておく（図１を参照）ことが肝要である。一方、長手側面部１２における外面部５２と折込部２２との境界の折曲線（折込部２２を折り込むための押し罫）、長手側面部１３における外面部５３と折込部２３との境界の折曲線（折込部２３を折り込むための押し罫）、短手側面部１４における外面部５４と折込部２４との境界の折曲線（折込部２４を折り込むための押し罫）、短手側面部１５における外面部５５と折込部２５との境界の折曲線（折込部２５を折り込むための押し罫）は、直線で形成する（図１を参照）。
【００５６】
次いで、カートンブランクを折曲線に沿って折り曲げて組み立てていく。天面部１１に対して、長手側面部１２，１３及び短手側面部１４，１５を、それぞれ折り曲げる。そして、長手側面部１２から係合部５１ａ，５１ｂをそれぞれ折り曲げ、長手側面部１３から係合部５１ｃ，５１ｄをそれぞれ折り曲げた後に、切込５０ａと切込５０ｃを嵌め合わせて係合部５１ａと係合部５１ｃとを係合させ、同様にして、切込５０ｂと切込５０ｄを嵌め合わせて係合部５１ｂと係合部５１ｄとを係合させる。
【００５７】
その後、既述のように、折込部を折り込む。即ち、長手側面部１２，１３に備わる折込部２２，２３をそれぞれ内側に折り込み、それぞれの押さえ代３２，３３によって天面部１１を押圧する。同様にして、短手側面部１４，１５に備わる折込部２４，２５をそれぞれ内側に折り込み、それぞれの押さえ代３４，３５によって天面部１１を押圧する。押さえ代３２，３３，３４，３５で天面部１１の押圧をすることによって、折込部２２，２３，２４，２５が伸び開かないようになる。そして、既述のように、折込部２２，２３，２４，２５を折り込むことによって、内反し７が形成される。以上によって、カートンカバー１０を得ることが出来る。
【００５８】
カートンカバー１０では、滑らかな円弧線を描く天面部１１と長手側面部１２の境界の折曲線、及び天面部１１と長手側面部１３の境界の折曲線は、２重の押し罫で構成される。そのため、折り曲げを行い易く、折り曲げ時に、潰れや坐屈が起き難い。
【００５９】
又、この滑らかな円弧線を描く天面部１１と長手側面部１２の境界、及び天面部１１と長手側面部１３の境界は、折り曲げて得られるカートンカバー１０において、最も目立つ部分であるが、失敗なく折り曲げられるので、折り曲げて組み立てても、製品としてのカートンカバー１０の美観を損なうことがない。そのため、カートンカバー１０を、カートンブランクの状態で市場に流通させることを容易にする。
【００６０】
加えて、既述のように、滑らかな円弧線を描く天面部１１と長手側面部１２の境界の折曲線、及び天面部１１と長手側面部１３の境界の折曲線が、２重の押し罫で構成されていることから、折り曲げて得られるカートンカバー１０において、天面部１１と長手側面部１２とがなす角部、及び天面部１１と長手側面部１３とがなす角部は、２つの角で形成された、滑らかな感触を与え得る角部となり、手のカーブになじんだ、優しい形であるため、カートンカバーを持ち運びする際、手を傷つけ難く、容易に持つことが可能である。又、１つの例えば９０°の角の場合より、外部から応力がかかったときに変形が起こり難い。更に、角が鋭角にならないので、表面に塗装した場合に塗装が剥がれ難い。
【００６１】
図２に示されるように、カートンカバー１０でティシュペーパーカートン４１を覆った場合、ティシュペーパーカートン４１の上面に備わるティシュペーパー４０（収容物）の取出口（開口）と、カートンカバー１０の開口２１は重なって連通する。従って、カートンカバー１０で覆ったティシュペーパーカートン４１の中から、カートンカバー１０の外へ、ティシュペーパー４０を取り出すことが可能である。
【００６２】
図５に示されるカートンカバー１００では、開口２１を内側から被覆するように、（一例として）市販のポリ乳酸を主成分とする生分解性プラスチックシートからなるウインドウフィルム４が備わっている。ウインドウフィルム４には、スリット２が形成されており、カートンカバー１００によれば、覆う対象であるティシュペーパーカートンがフィルムレスであっても、自らに備わるウインドウフィルム４のスリット２によって、次に取り出されるべきティシュペーパー（収容物）を、ティシュペーパーカートン内に落とすことなく、保持することが可能である。
【００６３】
次に、図１２〜図１４は、本発明に係るカートンカバーの更に他の実施形態を示す図である。図１２は、例えば色板紙からなる組立て式のカートンカバーを組み立てる前の展開図であり、カートンブランクを表した図である。図１３は、上方からみたカートンカバーの斜視図であり、図１４は、下方からみたカートンカバーの斜視図である。
【００６４】
図１２〜図１４に示されるカートンカバー１１０は、上面にティシュペーパーの取出口（開口）が形成されたティシュペーパーカートンの外面を上から覆うものである。このカートンカバー１１０は、ティシュペーパーカートンの取出口に通じるように開口１２１が形成された天面部１１１、対向する一対の長手側面部１１２，１１３、及び対向する一対の短手側面部１１４，１１５で構成され、概ね直方体状を呈しており、（一例として）色板紙で形成されたものである。
【００６５】
カートンカバー１１０は、既述のカートンカバー１０に準じた形態をなすものである。但し、カートンカバー１１０は、長手側面部１１２，１１３及び一対の短手側面部１１４，１１５のＺ軸方向の長さが、既述のカートンカバー１０と比して長く、例えば２つのティシュペーパーを覆うことが出来るものとなっている。従って、カートンカバー１１０は、使用中のティシュペーパーの他に予備用のティシュペーパーを合わせて覆うことが出来るので、例えばホテル等の客室に設置するティシュペーパーのカバーとして好適に使用することが出来る。
【００６６】
図１２〜図１４に示されるカートンカバー１１０は、天面部１１１を上から見たときに、中央部（Ｘ軸方向における長手側面部１１２，１１３の中央部）が、他部（Ｘ軸方向における長手側面部１１２，１１３の両方の端部）より、細くなっており、例えばヴァイオリンのようなくびれを有する形状をなすものである。但し、くびれは、対向する一対の長手側面部１１２，１１３の天面部１１１の側（Ｚ軸方向における長手側面部１１２，１１３の上端）において形成され、対向する一対の長手側面部１１２，１１３の下端１６２，１６３（Ｚ軸方向における長手側面部１１２，１１３の下端）の側では、くびれは形成されていない。下端１６２，１６３の側は、カートンカバー１１０で、ティシュペーパーカートンの外面を上から覆う際の、入口にあたる部分であるから、ここがくびれていないことによって、カートンカバー１１０を人力で開かなくても、スムーズにカートンカバー１１０にティシュペーパーカートンを入れることが出来る。一方、天面部１１１の側ではくびれているから、そこにおいてカートンカバー１１０によってティシュペーパーカートンは圧接され保持される。
【００６７】
長手側面部１１２，１１３は、それぞれが連続した１つの面であるから、天面部１１１の側と下端１６２，１６３とを結ぶ方向（概ねＺ軸方向）で考えると、天面部１１１の側と下端１６２，１６３の中間部分は、くびれていない下端１６２，１６３から、最もくびれている天面部１１１の側まで、徐々にくびれは大きくなっている。従って、カートンカバー１１０でティシュペーパーカートンを覆う際に、カートンカバー１１０によってティシュペーパーカートンが徐々に圧接され、その反対に、ティシュペーパーカートンからカートンカバー１１０を外す際には、徐々に圧接から開放される。そのため、カートンカバー１１０でティシュペーパーカートンをスムーズに覆うことが出来る。又、例えばカートンカバー１１０を少し変形させる等によって人力で圧接の力を取り除いてやりさえすれば、容易に、ティシュペーパーカートンからカートンカバー１１０を外すことが可能である。
【００６８】
カートンカバー１１０のくびれは、対向する一対の長手側面部１１２，１１３の中央部における間隔（長手側面部１１２と長手側面部１１３との間のＹ軸方向の距離）を、天面部１１１の側において、端部における間隔より、狭くすることによって実現されている。一方、カートンカバー１１０では、対向する一対の短手側面部１１４，１１５は、中央部（Ｙ軸方向の中央部）も他部（Ｙ軸方向の両方の端部）も、間隔（短手側面部１１４と短手側面部１１５との間のＸ軸方向の距離）は一定（同じ）である。
【００６９】
カートンカバー１１０では、くびれは滑らかな円弧線で形成されている（図１２及び図１３を参照）。これは、天面部１１１の側において、対向する一対の長手側面部１１２，１１３の間隔を、（長手側面部１１２，１１３の）一の端部から中央部へ向けて連続して狭くし、中央部から他の端部に向けて連続して広げることによって、実現されている。
【００７０】
カートンカバー１１０の大きさは、覆う対象であるティシュペーパーカートンの大きさによって定まる。（一例として）カートンカバー１１０では、対向する一対の長手側面部１１２，１１３の中央部における間隔（内寸、内側の寸法）は、対応する位置におけるティシュペーパーカートン４１の外形寸法（外側の寸法）より１ｍｍ小さくなっている。
【００７１】
カートンカバー１１０では、長手側面部１１２は、その下側で内側に折り込まれた折込部１２２と、外側に現れている外面部１５２と、を備えている（図１２を参照）。同様に、長手側面部１１３は、その下側で内側に折り込まれた折込部１２３と、外側に現れている外面部１５３と、を備え（図１２及び図１４を参照）、短手側面部１１４は、その下側で（図１２を参照）内側に折り込まれた折込部１２４と、外側に現れている外面部１５４と、を備え、短手側面部１１５は、その下側で内側に折り込まれた折込部１２５と、外側に現れている外面部１５５と、を備え、それぞれ複層構造をなしている（図１２及び図１４を参照）。
【００７２】
長手側面部１１２の折込部１２２は、長手側面部１１２を折り込んで形成され、且つ、折込・伸開可能に設けられる。そして、折込部１２２の先端（図１２を参照）には、更に折り曲げられて天面部１１１の内面の押圧をし得る押さえ代１３２が備わる。同様に、図１２と図１４を対比させることで理解されるように、長手側面部１１３の折込部１２３は、長手側面部１１３を折り込んで形成され、且つ、折込・伸開可能に設けられ、長手側面部１１３の折込部１２３の先端（図１２を参照）には、更に折り曲げられて天面部１１１の内面の押圧をし得る押さえ代１３３が備わる。
【００７３】
又、短手側面部１１４の折込部１２４は、短手側面部１１４を折り込んで形成され、且つ、折込・伸開可能に設けられ、短手側面部１１４の折込部１２４の先端（図１２を参照）には、更に折り曲げられて天面部１１１の内面の押圧をし得る押さえ代１３４が備わる。同様に、図１２と図１４を対比させることで理解されるように、短手側面部１１５の折込部１２５は、長手側面部１１５を折り込んで形成され、且つ、折込・伸開可能に設けられ、短手側面部１１５の折込部１２５の先端（図１２を参照）には、更に折り曲げられて天面部１１１の内面の押圧をし得る押さえ代１３５が備わる（図１２及び図１４を参照）。
【００７４】
カートンカバー１１０は、短手側面部１１４，１１５のそれぞれの内面に、各々１つの内反し１０７を備えている（図１４を参照）。この内反し１０７は、カートンカバー自体に切抜１１６を入れ、その切抜１１６を形成する一辺が開くことによって形成されたものである。具体的には、図１２に示される展開したカートンブラックの状態において、短手側面部１１５の側において、折込部１２５に弓状の切抜１１６を形成しておく。そうすると、折込部１２５を折り込んだ際に、切抜１１６を形成する辺のうち（図１２中の）左側の辺（双子山状の辺）が少し開いて、内反し１０７が形成される。同様に、短手側面部１１４の側においても、折込部１２４に弓状の切抜１１６を形成しておく。そうすると、折込部１２４を折り込んだ際に、切抜１１６を形成する辺のうち（図１２中の）右側の辺（双子山状の辺）が少し開いて、内反し１０７が形成される。
【００７５】
切抜１１６によって形成された内反し１０７は、天面部１１１の側に開いており、天面部１１１の側とは反対の、短手側面部１１４，１１５の下端の側において短手側面部１１４，１１５自体に着いている。そのため、カートンカバー１１０でティシュペーパーカートンの外面を上から覆うときに、容易に覆え、一方、覆った後に、カートンカバー１１０はティシュペーパーカートンから外れ難い。即ち、カートンカバー１１０でティシュペーパーカートンを保持することが可能になる。これは、内反し１０７が天面部１１１の側に開いていることから、覆うとき（ティシュペーパーカートンをカートンカバー１１０に入れるとき）には、内反し１０７の開きによる押圧がティシュペーパーカートンにはたらき難く、スムーズに覆う（ティシュペーパーカートンをカートンカバー１０に入れる）ことが出来るのに対し、カートンカバー１１０をティシュペーパーカートンから外そうとすると、内反し１０７の開きによる押圧がティシュペーパーカートンにはたらくとともに、開いた内反し１０７の先端がティシュペーパーカートンの壁面に係合して、ティシュペーパーカートンからカートンカバー１１０が外れるのを防ごうとする力がはたらくからである。カートンカバー１１０は、くびれを有する形状をなすことに加えて、内反し１０７が備わることによって、ティシュペーパーカートンから外れ難くなっている。
【００７６】
カートンカバー１１０の長手側面部１１２，１１３及び短手側面部１１４，１１５は、それぞれエンボス加工が施されたエンボス加工部を有する。長手側面部１１２，１１３のエンボス加工部１４２，１４３は、凹みによって表されており、２つに分かれて形成され、それぞれが、閉じた輪郭線の中に形成された、長手側面部における横方向（Ｘ軸方向）に向いた多数の平行線で構成されている（図１２〜図１４を参照）。短手側面部１１４，１１５のエンボス加工部１４４，１４５も凹みによって表されており、短手側面部における横方向（Ｙ軸方向）に向いた多数の平行線で構成され、エンボス加工部１４４，１４５の一部は、天面部１１１にまで延長されている（図１２及び図１３を参照）。
【００７７】
カートンカバー１１０は、（一例として）以下の方法によって製造することが出来る。先ず、色板紙を用意し、これを所定形状に切断し、切抜１１６を形成して、カートンブランクを得る（図１２を参照）。このとき、長手側面部１１２に、凸部を形成した係合部１５１ａ，１５１ｂを設け、長手側面部１１３に、凹部を形成した係合部１５１ｃ，１５１ｄを設けておく。併せて、押し型によって、折り曲げをするための折曲線（図１２において破線で示された部分）を形成する。この際、天面部１１１と長手側面部１１２の境界の折曲線、及び天面部１１１と長手側面部１１３の境界の折曲線は、滑らかな円弧線で形成しておく（図１２を参照）ことが肝要である。一方、長手側面部１１２における外面部１５２と折込部１２２との境界の折曲線（折込部１２２を折り込むための押し罫）、長手側面部１１３における外面部１５３と折込部１２３との境界の折曲線（折込部１２３を折り込むための押し罫）、短手側面部１１４における外面部１５４と折込部１２４との境界の折曲線（折込部１２４を折り込むための押し罫）、短手側面部１１５における外面部１５５と折込部１２５との境界の折曲線（折込部１２５を折り込むための押し罫）は、直線で形成する（図１２を参照）。
【００７８】
次いで、カートンブランクを折曲線に沿って折り曲げて組み立てていく。天面部１１１に対して、長手側面部１１２，１１３及び短手側面部１１４，１１５を、それぞれ折り曲げる。そして、長手側面部１１２から係合部１５１ａ，１５１ｂをそれぞれ折り曲げ、長手側面部１１３から係合部１５１ｃ，１５１ｄをそれぞれ折り曲げた後に、係合部１５１ａ，１５１ｂが形成した凸部を、係合部１５１ｃ，１５１ｄが形成した凹部に、それぞれ差し込んで嵌め合わせ、係合部１５１ａと係合部１５１ｃ、及び、係合部１５１ｂと係合部１５１ｄとを係合させる。
【００７９】
その後、折込部を折り込む。即ち、長手側面部１１２，１１３に備わる折込部１２２，１２３をそれぞれ内側に折り込み、それぞれの押さえ代１３２，１３３によって天面部１１１を押圧する。同様にして、短手側面部１１４，１１５に備わる折込部１２４，１２５をそれぞれ内側に折り込み、それぞれの押さえ代１３４，１３５によって天面部１１１を押圧する。押さえ代１３２，１３３，１３４，１３５で天面部１１１の押圧をすることによって、折込部１２２，１２３，１２４，１２５が伸び開かないようになる。そして、折込部１２４，１２５を折り込むことによって、内反し１０７が形成される。以上によって、カートンカバー１１０を得ることが出来る。
【００８０】
カートンカバー１１０では、長手側面部１１２の押さえ代１３２の境界を示す折曲線、及び長手側面部１１３の押さえ代１３３の境界を示す折曲線が、２重の押し罫で構成され、更に、滑らかな円弧線を描く天面部１１１と長手側面部１１２の境界の折曲線、及び天面部１１１と長手側面部１１３の境界の折曲線も、２重の押し罫で構成される。そのため、素人でも折り曲げを行い易い。加えて、天面部１１１の開口１２１の周りには、開口１２１の形状と同様な長円形状の２重の縁取線１１８（押し罫）が形成されているので、折り曲げ時に、天面部１１１に潰れや坐屈が起き難く、この点においても、素人の折り曲げ作業を手助けする。
【００８１】
又、既述のように、滑らかな円弧線を描く天面部１１１と長手側面部１１２の境界の折曲線、及び天面部１１１と長手側面部１１３の境界の折曲線が、２重の押し罫で構成されていることから、折り曲げて得られるカートンカバー１１０において、天面部１１１と長手側面部１１２とがなす角部、及び天面部１１１と長手側面部１１３とがなす角部は、２つの角で形成された、滑らかな感触を与え得る角部となる。そのため、１つの例えば９０°の角の場合より安全であり、加えて、外部から応力がかかったときに変形し難い。
【産業上の利用可能性】
【００８２】
本発明に係るカートンカバーは、ティシュペーパー、キッチンペーパー等のペーパータオル、シート状のトイレットペーパー、ワッティング（紙綿）等を収納するカートンの外面を覆って、居室の雰囲気に合致させ溶け込ませるようにカートンの視覚性を改善する等の役割を果たすカートンカバーとして、好適に利用出来る。
【図面の簡単な説明】
【００８３】
【図１】本発明に係るカートンカバーの一の実施形態を示す図であり、カートンカバーを組み立てる前のカートンブランクの状態の展開図である。
【図２】本発明に係るカートンカバーの一の実施形態を示す図であり、使用状態を示す断面図である。
【図３】本発明に係るカートンカバーの一の実施形態を示す図であり、上方からみたカートンカバーの斜視図である。
【図４】本発明に係るカートンカバーの一の実施形態を示す図であり、下方からみたカートンカバーの斜視図である。
【図５】本発明に係るカートンカバーの他の実施形態を示す図であり、上方からみたカートンカバーの斜視図である。
【図６】本発明に係るカートンカバーの一の実施形態を示す図であり、カートンカバーの平面図である。
【図７】本発明に係るカートンカバーの一の実施形態を示す図であり、カートンカバーの底面図である。
【図８】図６におけるＡＡ断面を示す断面（矢視）図である。
【図９】図６におけるＢＢ断面を示す断面（矢視）図である。
【図１０】本発明に係るカートンカバーの一の実施形態を示す図であり、カートンカバーの正面図である。
【図１１】本発明に係るカートンカバーの一の実施形態を示す図であり、カートンカバーの左側面図である。
【図１２】本発明に係るカートンカバーの更に他の実施形態を示す図であり、カートンカバーを組み立てる前のカートンブランクの状態の展開図である。
【図１３】本発明に係るカートンカバーの更に他の実施形態を示す図であり、上方からみたカートンカバーの斜視図である。
【図１４】本発明に係るカートンカバーの更に他の実施形態を示す図であり、下方からみたカートンカバーの斜視図である。
【符号の説明】
【００８４】
４  ウインドウフィルム
７，１０７  内反し
１０，１００，１１０  カートンカバー
１１，１１１  天面部
１２，１３，１１２，１１３  長手側面部
１４，１５，１１４，１１５  短手側面部
１７  切込
２１，１２１  開口
２２，２３，１２２，１２３  （長手側面部の）折込部
２４，２５，１２４，１２５  （短手側面部の）折込部
３２，３３，１３２，１３３  （長手側面部の折込部の）押さえ代
３４，３５，１３４，１３５  （短手側面部の折込部の）押さえ代
４０  ティシュペーパー
４１  ティシュペーパーカートン
４２，４３，１４２，１４３  （長手側面部の）エンボス加工部
４４，４５，１４４，１４５  （短手側面部の）エンボス加工部
５０ａ，５０ｂ，５０ｃ，５０ｄ  切込
５１ａ，５１ｂ，５１ｃ，５１ｄ，１５１ａ，１５１ｂ，１５１ｃ，１５１ｄ  係合部
５２，５３，１５２，１５３  （長手側面部の）外面部
５４，５５，１５４，１５５  （短手側面部の）外面部
６２，６３，１６２，１６３  （長手側面部の）下端
１１６  切抜
１１８  縁取線
【図１】
2008207834.tif 000003
【図２】
2008207834.tif 000004
【図３】
2008207834.tif 000005
【図４】
2008207834.tif 000006
【図５】
2008207834.tif 000007
【図６】
2008207834.tif 000008
【図７】
2008207834.tif 000009
【図８】
2008207834.tif 000010
【図９】
2008207834.tif 000011
【図１０】
2008207834.tif 000012
【図１１】
2008207834.tif 000013
【図１２】
2008207834.tif 000014
【図１３】
2008207834.tif 000015
【図１４】
2008207834.tif 000016